(57)【要約】【課題】遊技基盤の或る部分と別の部分とのそれぞれに適した材料を使うことができるようにする。【解決手段】複数の単位片２；３；４；５；６が方形状の遊技基盤１の外形を形成するように配置され、これらの単位片２乃至６相互の接触し合う部分が接着剤７；８；９；１０で結合されることによって、遊技基盤１が構成される。又、複数の単位片がセンター飾り又はセンター可変入賞部品のための開口部を方囲むとともに遊技基盤の外形を形成するように配置され、これらの単位片相互の接触し合う部分が接着剤で結合されることによって、遊技基盤が構成されれば、開口部を形成する穴あけ加工を減らすことができる。【選択図】図１
2011092602.tif 000002
【特許請求の範囲】
【請求項１】
複数の単位片が方形状の遊技基盤の外形を形成するように配置され、これらの単位片相互の接触し合う部分が接着剤で結合されたことを特徴とするパチンコ遊技機の遊技盤に用いられる遊技基盤。
【請求項２】
複数の単位片が開口部を囲むとともに遊技基盤の外形を形成するように配置され、これらの単位片相互の接触し合う部分が接着剤で結合されたことを特徴とするパチンコ遊技機の遊技盤に用いられる遊技基盤。
【発明の詳細な説明】
【技術分野】
【０００１】
本発明は、遊技基盤の或る部分と別の部分とのそれぞれに適した材料を使うことができるパチンコ遊技機の遊技盤に用いられる遊技基盤に関する。
【背景技術】
【０００２】
パチンコ遊技機の遊技盤は、化粧シートの結合された遊技基盤に遊技部品を取り付けた構造である。遊技部品としては、例えば、遊技釘、ガイドレール、ストッパーゴム、センター飾り、入賞部品、風車、アウト口飾り、盤面飾りである。ストッパーゴム、センター飾り、入賞部品、風車、アウト口飾りは、遊技盤のガイドレールで囲まれた球の流下する遊技領域に取り付けられる。盤面飾りは遊技盤のガイドレールよりも外側の前面に取り付けられる。ところで、最近の遊技盤にあっては、センター飾りが大型になってきており、センター飾りの上部周りや右部周りに配置される遊技釘の本数も少なくなってきている。しかしながら、遊技基盤は、サブロク版と呼ばれるような大型なベニヤ板から５００ｍｍ×４００ｍｍの方形状に切断されたベニヤ板を使用しており、例えば、遊技釘の打ち込まれる本数が少ないか又は無い部分と遊技釘の打ち込まれる本数が多い部分というように、遊技基盤の或る部分と別の部分とのそれぞれに適した材料を使うことができないという欠点がある。
【先行技術文献】
【特許文献】
【０００３】
【特許文献１】特開平１０−１７４７４５号公報
【発明の概要】
【発明が解決しようとする課題】
【０００４】
発明が解決しようとする課題は、遊技基盤の或る部分と別の部分とのそれぞれに適した材料を使うことができないという点である。
【課題を解決するための手段】
【０００５】
本発明に係るパチンコ遊技機の遊技盤に用いられる遊技基盤は、複数の単位片が方形状の遊技基盤の外形を形成するように配置され、これらの単位片相互の接触し合う部分が接着剤で結合されたことを最も主要な特徴とする。
【発明の効果】
【０００６】
本発明に係るパチンコ遊技機の遊技盤に用いられる遊技基盤は、複数の単位片を接着剤で結合して構成されているので、遊技基盤の或る部分と別の部分とのそれぞれに適した材料を使うことができるという利点がある。例えば、遊技釘の打ち込まれる本数が少ないか又は無い部分に使用される単位片は遊技釘に対する保持力が弱いが単価が安い材料により構成され、遊技釘の打ち込まれる本数が多い部分に使用される単位片は遊技釘に対する保持力が強いが単価が高い材料により構成されればよい。
【図面の簡単な説明】
【０００７】
【図１】Ａ及びＢ図は実施の形態１に係る遊技基盤を示す斜視図。
【図２】Ａ乃至Ｃ図は実施の形態１に係る遊技基盤を用いた遊技盤の製造方法を示す工程図。
【図３】実施の形態２に係る遊技基盤を示す斜視図。
【図４】Ａ乃至Ｄ図は実施の形態３に係る遊技基盤を示す斜視図。
【図５】Ａ乃至Ｃ図は実施の形態３に係る遊技基盤を用いた遊技盤の製造方法を示す工程図。
【図６】実施の形態４に係る遊技基盤を示す斜視図。
【図７】Ａ及びＢ図は実施の形態５に係る遊技基盤を示す斜視図。
【図８】Ａ乃至Ｃ図は実施の形態５に係る遊技基盤を用いた遊技盤の製造方法を示す工程図。
【図９】実施の形態６に係る遊技基盤を示す斜視図。
【図１０】Ａ乃至Ｄ図は実施の形態７に係る遊技基盤を示す斜視図。
【図１１】Ａ乃至Ｃ図は実施の形態７に係る遊技基盤を用いた遊技盤の製造方法を示す工程図。
【図１２】実施の形態８に係る遊技基盤を示す斜視図。
【図１３】Ａ及びＢ図は実施の形態９に係る遊技基盤を示す斜視図。
【図１４】Ａ及びＢ図は実施の形態１０に係る遊技基盤を示す斜視図。
【図１５】実施の形態１１に係る２つの単位片の結合部分を示す分解図。
【図１６】Ａ及びＢ図は実施の形態１２に係る遊技基盤を示す斜視図。
【図１７】Ａ及びＢ図は実施の形態１３に係る遊技基盤を示す斜視図。
【図１８】実施の形態１４に係る遊技盤を示す斜視図。
【図１９】実施の形態１５に係る遊技盤のセンター飾りの周りを示す断面図。
【発明を実施するための形態】
【０００８】
本明細書における「前」、「後」、「左」、「右」、「上」、「下」の方向は、図１のＡ図に記載した方向で特定される方向である。
【０００９】
「実施の形態１」
図１を参照し、実施の形態１に係るパチンコ遊技機の遊技盤に用いられる遊技基盤１について説明する。遊技基盤１は、図１のＢ図に示すように、複数の単位片２；３；４；５；６が方形状の遊技基盤１の外形を形成するように配置され、これらの単位片２乃至６相互の接触し合う部分が接着剤７；８；９；１０で結合された構成である。この図１に示す実施の形態１、後述の図３に示す実施の形態２、後述の図４に示す実施の形態３、後述の図６に示す実施の形態６、後述の図１６に示す実施の形態１２は、遊技基盤の或る部分と別の部分とのそれぞれに適した材料を使うことを主たる目的とする発明の実施の形態である。
【００１０】
具体的には、図１のＡ図に示すように、複数の単位片２乃至６は、使用される場所に適した木材又は合成樹脂からなる材料により短冊状に形成される。例えば、遊技釘の打ち込まれる本数が少ないか又は無い部分に使用される単位片２乃至４は遊技釘に対する保持力が弱いが単価が安い材料としての例えば前後方向の厚さＴ１のラワンベニヤ板により構成され、遊技釘の打ち込まれる本数が多い部分に使用される単位片５；６は遊技釘に対する保持力が強いが単価が高い材料としての例えば前後方向の厚さＴ１のシナベニヤ板により構成される。
【００１１】
よって、図１のＢ図に示すように、複数の単位片２乃至６が方形状の遊技基盤１の外形を形成するように配置され、これらの単位片相互の接触し合う部分が接着剤７乃至８で結合されることによって、前後方向の厚さＴ１の遊技基盤１が構成される。Ｔ１は、例えば遊技機業界で使用されている１９ｍｍが適切であるが、１９ｍｍに限定されるものではない。
【００１２】
図２を参照し、遊技基盤１を用いた遊技盤１１の製造方法について説明する。先ず、図２のＡ図に示すように、遊技基盤１の片側板面としての前面には方形状の化粧シート１２が図外の接着剤で結合される。化粧シート１２が遊技基盤１の前面に結合されることによって、遊技基盤１の前面が化粧シート１２で全面的に覆われる。
【００１３】
化粧シート１２は、絵柄や機種名のような模様の描かれた紙が透明な合成樹脂シートの裏面に接着剤で結合され、紙に描かれた模様が合成樹脂シートを通して化粧シート１２の前方向から見えるようになっている。よって、化粧シート１２の紙が遊技基盤１の前面に図外の接着剤で結合されても、紙に描かれた模様が化粧シート１２の前方向から見えるようになっている。
【００１４】
次に、図２のＢ図に示すように、遊技基盤１と化粧シート１２とには部品を逃げるための開口部１３；１４；１５；１６や部品を取り付けるための図外の取付孔が形成される。開口部１３は、遊技基盤１と化粧シート１２とに設けられる複数の開口部のうちで正面から見た場合の最も面積が大きい開口部である。その後、図２のＣ図に示すように、遊技部品１７が開口部１３乃至１６や図外の取付孔を利用して化粧シート１２の前面に配置されて図外の木螺子のような螺子釘で遊技基盤１に取り付けられる。これによって、遊技盤１１が完成する。遊技部品１７としては、遊技釘１８、ガイドレール１９、跳ね返しゴム２０、センター飾り２１、入賞部品２２；２３；２４、風車２５、アウト口飾り２６、盤面飾り２７が例示されているが、これらに限定されるものではない。とりわけ、センター飾り２１に対応する開口部１３が図１の遊技釘に対する保持力が弱いが単価が安い材料よりなる単位片４を中心として形成されれば、開口部１３を形成する穴あけ加工に用いられる工具の耐久性が向上する。
【００１５】
「実施の形態２」
図３を参照し、実施の形態２に係るパチンコ遊技機の遊技盤に用いられる遊技基盤１について説明する。図３において、遊技基盤１の化粧シート１２の設けられていない片側板面としての後面には方形状の保護部材２８が図外の接着剤で結合されて、遊技基盤１の後面が保護部材２８で全面的に覆われ、保護部材２８が複数の単位片２乃至６（符号２；４は図１のＢ図参照）相互の接着剤７乃至１０（符号７；１０は図１のＢ図参照）で結合された接触し合う部分の合わせ目を目隠しすることができる。保護部材２８としては、光を通さない不透明な紙、光を通さない不透明な合成樹脂、光を通さない不透明な塗料の少なくとも１つから構成される。
【００１６】
「実施の形態３」
図４を参照し、実施の形態３に係るパチンコ遊技機の遊技盤に用いられる遊技基盤３１について説明する。遊技基盤１は、図４のＤ図に示すように、複数の方形状の基盤ユニット３２；３３が前後に重ね合わされ、これらの基盤ユニット３２；３３の重ね合わされた部分が接着剤３４で結合された構成である。
【００１７】
具体的には、図４のＢ図に示すように、複数の基盤ユニット３２；３３のそれぞれは、複数の単位片３５；３６；３７；３８；３９が方形状の遊技基盤３１の外形を形成するように配置され、これらの単位片３５乃至３９相互の接触し合う部分が接着剤４０；４１；４２；４３で結合された構成である。複数の単位片３５乃至３９は、使用される場所に適した材料のベニヤ板から短冊状に形成される。
【００１８】
例えば、図４のＡ図に示すように、遊技釘の打ち込まれる本数が少ないか又は無い部分に使用される単位片３５乃至３７は遊技釘に対する保持力が弱いが単価が安い材料としての例えば前後方向の厚さＴ２＝Ｔ１÷２のラワンベニヤ板により構成され、遊技釘の打ち込まれる本数が多い部分に使用される単位片３８；３９は遊技釘に対する保持力が強いが単価が高い材料としての例えば前後方向の厚さＴ２＝Ｔ１÷２のシナベニヤ板により構成される。基盤ユニット３２；３３の厚さは、同一寸法としたが、一方が他方よりも厚く、他方が一方よりも薄くなるように、異なる寸法にしてもよい。
【００１９】
そして、図４のＣ図に示すように、一方の基盤ユニット３２がその片側板面としての前面を前方に向けたまま、他方の基盤ユニット３３が上下をそのままとしつつ左右を入れ換えるようにひっくり返されてその片側板面としての後面を一方の基盤ユニット３２の片側板面としての後面と対向させられる。
【００２０】
その後、図４のＤ図に示すように、２つの基盤ユニット３２；３３が互いに重ね合わされる際に、２つの基盤ユニット３２；３３の重ね合わされた部分が接着剤３４で結合されて、前後方向の厚さＴ１の１つの遊技基盤３１が構成される。この図４のＤ図に示す遊技基盤３１によれば、一方の基盤ユニット３２における複数の単位片３５乃至３９相互の接着剤４０乃至４３で結合された接触し合う部分と他方の基盤ユニット３３における複数の単位片３５乃至３９（符号３６；３７は図４のＣ図参照）相互の接着剤４０乃至４３（符号４１；４３は図４のＣ図参照）で結合された接触し合う部分とが互いに前後方向で同じ位置にならないように位置がずれる。
【００２１】
このため、一方の基盤ユニット３２の接着剤４０乃至４３で結合された接触し合う部分が他方の基盤ユニット３３における複数の単位片３５乃至３９の板面に位置し、他方の基盤ユニット３２；３３の接着剤４０乃至４３で結合された接触し合う部分が一方の基盤ユニット３２における複数の単位片３５乃至３９の板面に位置する。よって、例えば、図外の遊技釘が一方の基盤ユニット３２の接着剤４０乃至４３で結合された接触し合う部分に打ち込まれても、当該遊技釘の先端部の側が他方の基盤ユニット３３における複数の単位片３５乃至３９の板面に打ち込まれるので、遊技釘が遊技基盤３１で適切に保持される。
【００２２】
図５を参照し、遊技基盤３１を用いた遊技盤４４の製造方法について説明する。先ず、図５のＡ図に示すように、遊技基盤３１の片側板面としての前面には方形状の化粧シート１２が接着剤で結合される。化粧シート１２が遊技基盤３１の前面に結合されることによって、遊技基盤３１の前面が化粧シート１２で全面的に覆われる。化粧シート１２が遊技基盤３１の前面に接着剤で結合されても、化粧シート１２の紙に描かれた模様が化粧シート１２の前方向から見えるようになっているのは、図２と同じである。
【００２３】
次に、図５のＢ図に示すように、遊技基盤３１と化粧シート１２とには部品を逃げるための開口部１３乃至１６や部品を取り付けるための図外の取付孔が形成される。その後、図５のＣ図に示すように、遊技部品１７が開口部１３乃至１６や図外の取付孔を利用して化粧シート１２の前面に配置されて図外の木螺子のような螺子釘で遊技基盤３１に取り付けられる。これによって、遊技盤４４が完成する。遊技部品１７としては、遊技釘１８、ガイドレール１９、跳ね返しゴム２０、センター飾り２１、入賞部品２２；２３；２４、風車２５、アウト口飾り２６、盤面飾り２７が例示されているが、これらに限定されるものではない。
【００２４】
「実施の形態４」
図６を参照し、実施の形態４に係るパチンコ遊技機の遊技盤に用いられる遊技基盤３１について説明する。図６において、遊技基盤３１の化粧シート１２の設けられていない片側板面としての後面には方形状の保護部材２８が接着剤で結合されて、遊技基盤３１の後面が保護部材２８で全面的に覆われ、保護部材２８が複数の単位片相互の接着剤で結合された接触し合う部分を目隠しすることができるのは、図３と同じである。
【００２５】
「実施の形態５」
図７を参照し、実施の形態５に係るパチンコ遊技機の遊技盤に用いられる遊技基盤４７について説明する。遊技基盤４７は、図７のＢ図に示すように、複数の単位片４８；４９；５０；５１が開口部５２を方形状に囲むとともに方形状の遊技基盤４７の外形を形成するように配置され、これらの単位片４８乃至５１相互の接触し合う部分が接着剤５３；５４；５５；５６で結合された構成である。開口部５２は、センター飾り又はセンター可変入賞部品のための前後方向への貫通孔を構成するものであって、遊技基盤４７に設けられる複数の開口部のうちで正面から見た場合の最も面積が大きい開口部である。この図７に示す実施の形態５、後述の図９に示す実施の形態６、後述の図１０に示す実施の形態７、後述の図１２に示す実施の形態８、後述の図１３に示す実施の形態９、後述の図１４に示す実施の形態１０、後述の図１７に示す実施の形態１３は、後述の図１８に示す実施の形態１４の開口部１２５を形成するための切削時間短縮化及び切削屑細分化並びに切削屑減量化を主たる目的とする発明の実施の形態である。
【００２６】
開口部５２がセンター飾り又はセンター可変入賞部品のためのものであれば、開口部５２を前方向又は後方向から見た場合の外形が、センター飾り以外又はセンター可変入賞部品以外の遊技部品のための開口部に比べて大きい。このため、大きな開口部５２を遊技基盤４７の開口部の存在しない部分から穴あけ加工で形成する必要がないという利点があるうえ、遊技基盤４７を構成する複数の単位片４８乃至５１の前方向又は後方向から見た場合の面積が小さくなり、単位片４８乃至５１が入手しやすいという利点がある。
【００２７】
具体的には、図７のＡ図に示すように、複数の単位片４８乃至５１は、全て同じ木材又は合成樹脂からなる材料により短冊状に形成されてもよいが、使用される場所に適した材料から短冊状に形成されてもよい。単位片４８乃至５１が使用される場所に適した材料から形成される場合、例えば、遊技釘の打ち込まれる本数が少ないか又は無い部分に使用される単位片４８；５０は遊技釘に対する保持力が弱いが単価が安い材料としての例えば前後方向の厚さＴ１のラワンベニヤ板により構成され、遊技釘の打ち込まれる本数が多い部分に使用される単位片４９；５１は遊技釘に対する保持力が強いが単価が高い材料としての例えば前後方向の厚さＴ１のシナベニヤ板により構成される。
【００２８】
図８を参照し、遊技基盤４７を用いた遊技盤５７の製造方法について説明する。先ず、図８のＡ図に示すように、遊技基盤４７の片側板面としての前面には方形状の化粧シート１２が接着剤で結合される。化粧シート１２が遊技基盤４７の前面に結合されることによって、遊技基盤４７の前面及び開口部５２が化粧シート１２で全面的に覆われる。化粧シート１２が遊技基盤４７の前面に接着剤で結合されても、化粧シート１２の紙に描かれた模様が化粧シート１２の前方向から見えるようになっているのは、図２と同じである。
【００２９】
次に、図８のＢ図に示すように、遊技基盤４７と化粧シート１２とには部品を逃げるための開口部１４乃至１６や部品を取り付けるための図外の取付孔が形成され、化粧シート１２の開口部５２に対応する部分には開口部５８が形成される。その後、図８のＣ図に示すように、遊技部品１７が開口部５２や図外の取付孔を利用して化粧シート１２の前面に配置されて遊技基盤４７に取り付けられる。これによって、遊技盤５７が完成する。遊技部品１７としては、ガイドレール１９、跳ね返しゴム２０、センター飾り２１、入賞部品２２；２３；２４、風車２５、アウト口飾り２６、盤面飾りが例示されているが、これらに限定されるものではない。開口部５８が化粧シート１２に形成される時期は、化粧シート１２が遊技基盤４７に結合されるよりも前の時期又は化粧シート１２が遊技基盤４７に結合された後の時期の何れでもよい。
【００３０】
「実施の形態６」
図９を参照し、実施の形態６に係るパチンコ遊技機の遊技盤に用いられる遊技基盤４７について説明する。図９において、遊技基盤４７の化粧シート１２の設けられていない片側板面としての後面には方形状の保護部材２８が接着剤で結合されて、遊技基盤４７の後面が保護部材２８で全面的に覆われ、保護部材２８が複数の単位片相互の接着剤で結合された接触し合う部分を目隠しすることができるのは、図３と同じである。
【００３１】
図９に戻り、保護部材２８の開口部５８と対応する部分には開口部５９が形成される。開口部５９が保護部材２８に形成される時期は、保護部材２８が遊技基盤４７に結合されるよりも前の時期又は保護部材２８が遊技基盤４７に結合された後の時期の何れでもよい。
【００３２】
「実施の形態７」
図１０を参照し、実施の形態７に係るパチンコ遊技機の遊技盤に用いられる遊技基盤６１について説明する。遊技基盤６１は、図１０のＤ図に示すように、複数の方形状の基盤ユニット６２；６３が前後に重ね合わされ、これらの基盤ユニット６２；６３の重ね合わされた部分が接着剤６４で結合された構成である。
【００３３】
具体的には、図１０のＢ図に示すように、複数の基盤ユニット６２；６３のそれぞれは、複数の単位片６５；６６；６７；６８が開口部６９を方形状に囲むとともに方形状の遊技基盤６１の外形を形成するように配置され、これらの単位片６５乃至６８相互の接触し合う部分が接着剤７０；７１；７２；７３で結合された構成である。複数の単位片６５乃至６８は、全て同じ木材又は合成樹脂からなる材料により短冊状に形成されてもよいが、使用される場所に適した材料から短冊状に形成されてもよい。
【００３４】
例えば、図１０のＡ図に示すように、遊技釘の打ち込まれる本数が少ないか又は無い部分に使用される単位片６５；６６は遊技釘に対する保持力が弱いが単価が安い材料としての例えば前後方向の厚さＴ２＝Ｔ１÷２のラワンベニヤ板により構成され、遊技釘の打ち込まれる本数が多い部分に使用される単位片６７；６８は遊技釘に対する保持力が強いが単価が高い材料としての例えば前後方向の厚さＴ２＝Ｔ１÷２のシナベニヤ板により構成される。基盤ユニット６２；６３の厚さは、同一寸法としたが、一方が他方よりも厚く、他方が一方よりも薄くなるように、異なる寸法にしてもよい。
【００３５】
そして、図１０のＣ図に示すように、一方の基盤ユニット６２がその片側板面としての前面を前方に向けたまま、他方の基盤ユニット６３が上下をそのままとしつつ左右を入れ換えるようにひっくり返されてその片側板面としての後面を一方の基盤ユニット６２の後面と対向させられる。
【００３６】
その後、図１０のＤ図に示すように、一方の基盤ユニット６２の後面と他方の基盤ユニット６２の後面とが互いに重ね合わされる際に、２つの基盤ユニット６２；６３の重ね合わされた部分が接着剤６４で結合されることによって、一方の基盤ユニット６２の開口部６９と他方の基盤ユニット６３の開口部６９とが互いに前後方向で繋がって１つの開口部７４を形成し、前後方向の厚さＴ１の１つの遊技基盤６１が構成される。開口部７４は、図７の開口部５２に相当し、遊技基盤６１に設けられる複数の開口部のうちで正面から見た場合の最も面積が大きい開口部である。
【００３７】
図１０のＤ図に示す遊技基盤６１によれば、一方の基盤ユニット６２における複数の単位片６５乃至６８相互の接着剤７０乃至７３で結合された接触し合う部分と他方の基盤ユニット６３における複数の単位片６５乃至６８相互の接着剤７０乃至７３（符号７２は図１０のＣ図参照）で接着された接触し合う部分とが互いに前後方向で同じ位置にならないように位置がずれることによって、例えば、図外の遊技釘が一方の基盤ユニット６２の接着剤７０乃至７３で結合された接触し合う部分に打ち込まれても、当該遊技釘の先端部の側が他方の基盤ユニット６３における複数の単位片６５乃至６８の板面に打ち込まれるので、遊技釘が遊技基盤６１で適切に保持されるということは、図４のＤ図と同じである。
【００３８】
図１０のＡ図に示すように、単位片６５の横幅Ｌ１と単位片６６の横幅Ｌ１とが同じ寸法に形成され、単位片６４の横幅Ｌ２と単位片６７の横幅Ｌ２とが同じ寸法に形成されれば、図１０のＤ図に示すように、一方の基盤ユニット６２がその片側板面としての前面を前方に向けたまま、他方の基盤ユニット６３が上下をそのままとしつつ左右を入れ換えるようにひっくり返されて後面を一方の基盤ユニット６２の後面と対向させ、一方の基盤ユニット６２の後面と他方の基盤ユニット６２の後面とが互いに重ね合わされて、２つの基盤ユニット６２；６３が互いにそれぞれの外形を前後方向で揃えられることによって、２つの開口部６９が左右上下方向に位置ずれすることなく１つの開口部７４を構成することができる。
【００３９】
開口部６９がセンター飾り又はセンター可変入賞部品のためのものであれば、大きな開口部６９を穴あけ加工で形成する必要がないという利点があるうえ、遊技基盤４７を構成する複数の単位片４８乃至５１の前方向又は後方向から見た場合の面積が小さくなり、単位片６５乃至６８が入手しやすいというは、図７と同じである。
【００４０】
図１１を参照し、遊技基盤６１を用いた遊技盤７５の製造方法について説明する。先ず、図１１のＡ図に示すように、遊技基盤６１の片側板面としての前面には方形状の化粧シート１２が接着剤で結合される。化粧シート１２が遊技基盤６１の前面に結合されることによって、遊技基盤６１の前面及び開口部７４が化粧シート１２で全面的に覆われる。化粧シート１２が遊技基盤６１の前面に接着剤で結合されても、化粧シート１２の紙に描かれた模様が化粧シート１２の前方向から見えるようになっているのは、図８のＡ図と同じである。
【００４１】
次に、図１１のＢ図に示すように、遊技基盤６１と化粧シート１２とには部品を逃げるための開口部１４乃至１６や部品を取り付けるための図外の取付孔が形成され、化粧シート１２の開口部７４に対応する部分には開口部５８が形成される。その後、図１１のＣ図に示すように、遊技部品１７が開口部７４や図外の取付孔を利用して化粧シート１２の前面に配置されて遊技基盤６１に取り付けられる。これによって、遊技盤７５が完成する。
【００４２】
遊技部品１７としては、ガイドレール１９、跳ね返しゴム２０、センター飾り２１、入賞部品２２；２３；２４、風車２５、アウト口飾り２６、盤面飾りが例示されているが、これらに限定されるものではない。開口部５８が化粧シート１２に形成される時期は、化粧シート１２が遊技基盤６１に結合されるよりも前の時期又は化粧シート１２が遊技基盤６１に結合された後の時期の何れでもよい。
【００４３】
「実施の形態８」
図１２を参照し、実施の形態８に係るパチンコ遊技機の遊技盤に用いられる遊技基盤６１について説明する。図１２において、遊技基盤６１の化粧シート１２の設けられていない片側板面としての後面には方形状の保護部材２８が接着剤で結合されて、遊技基盤６１の後面が保護部材２８で全面的に覆われ、保護部材２８が複数の単位片相互の接着剤で結合された接触し合う部分を目隠しすることができ、保護部材２８の開口部５８と対応する部分には開口部５９が形成されるのは、図９と同じである。
【００４４】
「実施の形態９」
図１３を参照し、実施の形態９に係るパチンコ遊技機の遊技盤に用いられる遊技基盤７７について説明する。遊技基盤７７は、図１３のＢ図に示すように、複数の単位片７８；７９が開口部８０を方形状に囲むとともに方形状の遊技基盤７７の外形を形成するように配置され、これらの単位片７８；７９相互の接触し合う部分が接着剤８１；８２で結合された構成である。開口部８０は、センター飾り又はセンター可変入賞部品のための前後方向への貫通孔を構成するものであって、遊技基盤７７にに設けられる複数の開口部のうちで正面から見た場合の最も面積が大きい開口部である。
【００４５】
開口部８０がセンター飾り又はセンター可変入賞部品のためのものであれば、大きな開口部８０を穴あけ加工で形成する必要がなく、単位片７９；８０が入手しやすいということは、図７と同じである。
【００４６】
具体的には、図１３のＡ図に示すように、複数の単位片７８；７９は、全て同じ木材又は合成樹脂からなる材料により短冊状に形成されてもよいが、使用される場所に適した材料から短冊状に形成されてもよい。単位片７８；７９が使用される場所に適した材料から形成される場合、例えば、遊技釘の打ち込まれる本数が少ないか又は無い部分に使用される単位片７９は遊技釘に対する保持力が弱いが単価が安い材料としての例えば前後方向の厚さＴ１のラワンベニヤ板により構成され、遊技釘の打ち込まれる本数が多い部分に使用される単位片７９は遊技釘に対する保持力が強いが単価が高い材料としての例えば前後方向の厚さＴ１のシナベニヤ板により構成される。
【００４７】
単位片７８は、横片部８３の右部から下方に縦片部８４が延設された形状である。単位片７９は、横片部８５の右部から上方に縦片部８６が延設された形状である。横片部８３の左端部と縦片部８６の上部とが上下方向で対向されて図１３のＢ図の接着剤８１で結合され、縦片部８６の下部と横片部８５の左端部とが上下方向で対向されて図１３のＢ図の接着剤８２で結合されて、遊技基盤７７が構成される。
【００４８】
図１３において、例えば、単位片７８；７９の厚さＴ１をＴ１÷２＝Ｔ２とし、縦片部８４；８６の横幅Ｌ１を同一寸法とし、横片部８３；８５の横幅Ｌ２を同一寸法とし、これらの厚さＴ２からなる単位片７８；７９で開口部８０に相当する開口部を方形状に囲むとともに方形状の遊技基盤７７の外形を形成するように配置され、これらの単位片７８；７９相互の接触し合う部分を接着剤８１；８２に相当する接着剤で結合して、図外の基盤ユニットを２個形成する。そして、一方の基盤ユニットがその片側板面としての前面を前方に向けたまま、他方の基盤ユニットが上下をそのままとしつつ左右を入れ換えるようにひっくり返されてその片側板面としての後面を一方の基盤ユニットの片側板面としての後面と対向させ、一方の基盤ユニットの後面と他方の基盤ユニットの後面とが互いに重ね合わされて図外の接着剤で結合されて、遊技基盤７７を構成してもよい。このように単位片７８；７９からなる基盤ユニットを２個形成する場合、各基盤ユニットの厚さをＴ２なる同じ寸法としたが、一方が他方よりも厚く、他方が一方よりも薄くなるように、異なる寸法にしてもよい。
【００４９】
「実施の形態１０」
図１４を参照し、実施の形態９に係るパチンコ遊技機の遊技盤に用いられる遊技基盤８８について説明する。遊技基盤８８は、図１４のＢ図に示すように、複数の単位片８９；９０；９１が開口部８０を方形状に囲むとともに方形状の遊技基盤８８の外形を形成するように配置され、これらの単位片８９乃至９１相互の接触し合う部分が接着剤９２；９３；９４で結合された構成である。単位片８９；９０は、方形状であるが、単位片９１は横片部９５の左部から上方に縦片部９６が延設された形状である。
【００５０】
具体的には、図１４のＡ図に示すように、複数の単位片８９乃至９１は、全て同じ木材又は合成樹脂からなる材料により短冊状に形成されてもよいが、使用される場所に適した材料から短冊状に形成されてもよい。単位片４８乃至５１が使用される場所に適した材料から形成される場合、例えば、遊技釘の打ち込まれる本数が少ないか又は無い部分に使用される単位片８９；９０は遊技釘に対する保持力が弱いが単価が安い材料としての例えば前後方向の厚さＴ１のラワンベニヤ板により構成され、遊技釘の打ち込まれる本数が多い部分に使用される単位片９１は遊技釘に対する保持力が強いが単価が高い材料としての例えば前後方向の厚さＴ１のシナベニヤ板により構成される。
【００５１】
図１４において、例えば、単位片８９乃至９１の厚さＴ１をＴ１÷２とし、単位片８９と縦片部９６との横幅Ｌ１を同一寸法とし、これらの厚さＴ２からなる単位片８９乃至９１で開口部８０に相当する開口部を方形状に囲むとともに方形状の遊技基盤８８の外形を形成するように配置され、これらの単位片８９乃至９１相互の接触し合う部分を接着剤９２乃至９３に相当する接着剤で結合して、図外の基盤ユニットを２個形成する。そして、一方の基盤ユニットがその片側板面としての前面を前方に向けたまま、他方の基盤ユニットが上下をそのままとしつつ左右を入れ換えるようにひっくり返されてその片側板面としての後面を一方の基盤ユニットの片側板面としての後面と対向させ、一方の基盤ユニットの後面と他方の基盤ユニットの後面とが互いに重ね合わされて図外の接着剤で結合されて、遊技基盤８８を構成してもよい。このように単位片８９乃至９１からなる基盤ユニットを２個形成する場合、各基盤ユニットの厚さをＴ２なる同じ寸法としたが、一方が他方よりも厚く、他方が一方よりも薄くなるように、異なる寸法にしてもよい。
【００５２】
「実施の形態１１」
図１５を参照し、実施の形態１１に係る２つの単位片９８；９９を結合する構造について説明する。図１５において、単位片９８；９９は、図１の単位片２乃至６のうちの何れか２つ、図４の単位片３５乃至３９のうちの何れか２つ、図７の単位片４８乃至５１のうちの何れか２つ、図１０の単位片６５乃至６８のうちの何れか２つ、図１３の単位片７８；７９、図１４の単位片８９乃至９１のうちの何れか２つ、図１６の単位片１０５乃至１０９のうちの何れか２つ、図１７の単位片１１６乃至１１９のうちの何れか２つに相当するものである。単位片９８の単位片９９と結合する部分には、駒受容部１００が単位片９８の表面から内部への窪みとして設けられる。単位片９９の単位片９８と結合する部分には、駒受容部１０１が単位片９９の表面から内部への窪みとして設けられる。
【００５３】
そして、木材又は合成樹脂からなる駒部材１０２の一端部が駒受容部１００に挿入され、駒部材１０２の他端部が駒受容部１０１に挿入されて、単位片９８の駒受容部１００の周りの表面と単位片９９の駒受容部１０１の周りの表面とが互いに接触して、２つの単位片９８；９９が駒部材１９１で結合される。この場合、図外の接着剤が単位片９８の駒受容部１００の周りの表面、単位片９９の駒受容部１０１の周りの表面、駒受容部１００；１０１に用いられれば、２つの単位片９８；９９の結合が強くなる。駒部材１０２は、丸棒以外の角棒、板状、筒状であってもよい。
【００５４】
図示は省略するが、例えば、図４のＤ図に示すように複数の単位ユニット３２；３３から遊技基盤３１を構成したり、図１０のＤ図に示すよう複数の単位ユニット６２；６３から遊技基盤６１を構成したり、図１６のＢ図に示すように複数の単位ユニット３２；１０４から遊技基盤１０３を構成したり、図１７のＢ図に示すように複数の単位ユニット６２；１１５から遊技基盤１１４を構成したりする場合において、駒部材１０２に相当する駒部材で、単位ユニット３２と単位ユニット３３とを互いに結合したり、単位ユニット６２と単位ユニット３３とを互いに結合したり、単位ユニット３２と単位ユニット１０４とを互いに結合したり、単位ユニット６２と単位ユニット１１５とを互いに結合したりすれば、複数の単位ユニットどうしの結合が強くなる。
【００５５】
「実施の形態１２」
図１６を参照し、実施の形態１２に係るパチンコ遊技機の遊技盤に用いられる遊技基盤１０３について説明する。遊技基盤１０３は、図１６のＢ図に示すように、複数の方形状の基盤ユニット３２；１０４が前後に重ね合わされ、これらの基盤ユニット３２；１０４の重ね合わされた部分が接着剤３４で結合された構成である。遊技基盤１０３では、基盤ユニット１０４がひっくり返されることなく、基盤ユニット１０４の前面と基盤ユニット３２の裏面とが互いに接着剤３４で結合されたことが、図４のＢ図の遊技基盤３１と相違する点である。
【００５６】
具体的には、図１６のＡ図に示すように、基盤ユニット１０４は、複数の単位片１０５；１０６；１０７；１０８；１０９が方形状の遊技基盤１０３の外形を形成するように配置され、これらの単位片１０５乃至１０９相互の接触し合う部分が接着剤１１０；１１１；１１２；１１３で結合された構成である。複数の単位片１０５乃至１０９は、使用される場所に適した材料のベニヤ板から短冊状に形成される。
【００５７】
例えば、遊技釘の打ち込まれる本数が少ないか又は無い部分に使用される単位片１０５乃至１０７は遊技釘に対する保持力が弱いが単価が安い材料としての例えば前後方向の厚さＴ２＝Ｔ１÷２のラワンベニヤ板により構成され、遊技釘の打ち込まれる本数が多い部分に使用される単位片１０８；１０９は遊技釘に対する保持力が強いが単価が高い材料としての例えば前後方向の厚さＴ２＝Ｔ１÷２のシナベニヤ板により構成される。基盤ユニット３２；１０４の厚さは、同一寸法としたが、一方が他方よりも厚く、他方が一方よりも薄くなるように、異なる寸法にしてもよい。そして、複数の基盤ユニット３２；１０４が互いにそれらの前面を前方に向けたまま対向させ、一方の基盤ユニット３２の後面と他方の基盤ユニット３３の前面とが互いに重ね合わされかつ接着剤３４で結合される。
【００５８】
遊技基盤１０３によれば、基盤ユニット３２における遊技釘の打ち込まれる本数が少ないか又は無い部分に使用される単位片３５乃至３７と基盤ユニット１０４における釘の打ち込まれる本数が少ないか又は無い部分に使用される単位片１０５乃至１０７とが重ね合わされ、基盤ユニット３２における遊技釘の打ち込まれる本数が多い部分に使用される単位片３８；３９と基盤ユニット１０４における遊技釘の打ち込まれる本数が多い部分に使用される単位片１０８；１０９とが重ね合わされるので、遊技釘が遊技基盤３１に打ち付けられた場合に遊技基盤３１で適切に保持される。
【００５９】
「実施の形態１３」
図１７を参照し、実施の形態１３に係るパチンコ遊技機の遊技盤に用いられる遊技基盤１１４について説明する。遊技基盤１１４は、図１７のＢ図に示すように、複数の方形状の基盤ユニット６２；１１５が前後に重ね合わされ、これらの基盤ユニット６２；１１５の重ね合わされた部分が接着剤６４で結合された構成である。遊技基盤１１４では、基盤ユニット１１５がひっくり返されることなく、基盤ユニット１１５の前面と基盤ユニット３２の裏面とが互いに接着剤３４で結合されたことが、図１０のＤ図の遊技基盤６１と相違する点である。
【００６０】
具体的には、図１７のＡ図に示すように、基盤ユニット１１５は、複数の単位片１１６；１１７；１１８；１１９が開口部１２０を方形状に囲むとともに方形状の遊技基盤１１４の外形を形成するように配置され、これらの単位片１１６乃至１１９相互の接触し合う部分が接着剤１２１；１２２；１２３；１２４で結合された構成である。複数の単位片１１６乃至１１９は、全て同じ木材又は合成樹脂からなる材料により短冊状に形成されてもよいが、使用される場所に適した材料から短冊状に形成されてもよい。
【００６１】
例えば、遊技釘の打ち込まれる本数が少ないか又は無い部分に使用される単位片１１６；１１７は遊技釘に対する保持力が弱いが単価が安い材料としての例えば前後方向の厚さＴ２＝Ｔ１÷２のラワンベニヤ板により構成され、遊技釘の打ち込まれる本数が多い部分に使用される単位片１１８；１１９は遊技釘に対する保持力が強いが単価が高い材料としての例えば前後方向の厚さＴ２＝Ｔ１÷２のシナベニヤ板により構成される。基盤ユニット６２；１１５の厚さは、同一寸法としたが、一方が他方よりも厚く、他方が一方よりも薄くなるように、異なる寸法にしてもよい。そして、複数の基盤ユニット６２；１１５が互いにそれらの前面を前方に向けたまま対向させ、一方の基盤ユニット６２の後面と他方の基盤ユニット１１５の前面とが互いに重ね合わされかつ接着剤３４で結合され、開口部６９；１２０が互いに前後方向で繋がって１つの開口部７４を形成する。
【００６２】
遊技基盤１１４によれば、基盤ユニット６２における遊技釘の打ち込まれる本数が少ないか又は無い部分に使用される単位片６５；６６と基盤ユニット１１５における釘の打ち込まれる本数が少ないか又は無い部分に使用される単位片１１６；１１７とが重ね合わされ、基盤ユニット６２における遊技釘の打ち込まれる本数が多い部分に使用される単位片６７；６８と基盤ユニット１１５における遊技釘の打ち込まれる本数が多い部分に使用される単位片１１８；１１９とが重ね合わされるので、遊技釘が遊技基盤１１４に打ち付けられた場合に遊技基盤１１４で適切に保持される。
【００６３】
「実施の形態１４」
図１８を参照し、実施の形態１４に係る遊技基盤４７を使用したパチンコ遊技機の遊技５７において１つの開口部５２に対する穴あけ加工を追加して行う場合を例として説明する。遊技基盤４７としては、図７のＢ図に示すように、複数の単位片４８乃至５１が開口部５２を方形状に囲むとともに方形状の遊技基盤４７の外形を形成するように配置されてそれらの単位片４８乃至５１相互の接触し合う部分が接着剤５３；５４；５５；５６で結合された構成であるものを例示する。そして、遊技技５７としては、図８に示すように、遊技基盤４７の前面に方形状の化粧シート１２が接着剤で結合されて、遊技基盤４７の前面及び開口部５２が化粧シート１２で全面的に覆われた構成であるものを例示する。この遊技技５７に開口部５２よりも大きな仮想線で示す開口部１２５を開口部５２に対する穴あけ加工として追加して行う。開口部１２５は、開口部１２５を前方から見た場合に、方形状に限定されるものではなく、図１９に示すセンター飾り２１の筒部１２７を逃げるように筒部１２７の外形に適用する形状であってもよく、遊技基盤４７と化粧シート１２とに設けられる複数の開口部のうちで正面から見た場合の最も面積が大きい開口部である。つまり、図１８に示すように、部品を逃げるための開口部１２５が遊技基盤４７と化粧シート１２とに穴あけ加工される場合、開口部５２の周囲が切削されることによって開口部１２５が形成されるので、開口部５２を穴あけ加工する必要がなく、図２のＢ図や図５のＢのように開口部１３を形成する場合に比べ、開口部１２５に対する穴あけ加工での切削時間が短縮されかつ切削で発生する屑も細かくなりかつ切削で発生する屑の量も減るという利点がある。
【００６４】
図１８では、開口部５８又は開口部１２５が化粧シート１２に形成される時期は、化粧シート１２が遊技基盤４７に結合されるよりも前の時期又は化粧シート１２が遊技基盤４７に結合された後の時期の何れでもよく、また、遊技基盤４７に代えて、図１０の遊技基盤６１又は図１３の遊技基盤７７又は図１４の遊技基盤８８又は図１７の遊技基盤１１４を使用してもよい。
【００６５】
「実施の形態１５」
図１９を参照し、実施の形態１５に係るパチンコ遊技機の遊技盤１１に取り付けられたセンター飾り２１の内部構造について説明する。遊技盤１１としては、遊技基盤１に化粧シート１２が設けられたものを例示する。センター飾り２１は、取付基盤１２６の中央部には筒部１２７が取付基盤１２６から後方に突出しかつ前後方向に開口する形状に設けられる。筒部１２７の後部には合成樹脂からなる板状の透明部材１２８が結合されて、筒部１２７の後開口が透明部材１２８で全面的に覆われる。取付基盤１２６の前面には、隔壁１２９及びステージ１３０が取付基盤１２６よりも前方に突出するように設けられる。隔壁１２９は、化粧シート１２の前面を流下する図外の遊技球が取付基盤１２６の前面から筒部１２７の前開口を経由して透明部材１２８の側に取り込まれないようにするために、筒部１２７の前開口の上部の周り及び左右部の周りを囲む形状である。ステージ１３０は、粧シート１２の前面を流下する図外の遊技球を取付基盤１２６の前面からステージ１３０の上に取り込み、その取り込んだ遊技球をステージ１３の上から遊技球の動きで落下させる形状である。
【００６６】
センター飾り２１が遊技盤１１に取り付けられる場合、筒部１２７及び透明部材１２８が遊技盤１１の前方から開口部１３に挿入され、図外の木螺子のような螺子釘が取付基盤１２６に形成された図外の貫通孔を経由して遊技基盤１に装着されて、取付基盤１２６が遊技基盤１に取り付けられて開口部１３と筒部１２７との間の隙間が全面的に覆われて目隠される。透明部材１２８の後方には、液晶表示器のような画像表示器１３１が配置される。画像表示器１３１は、センター飾り２１又は遊技盤１１に取り付けられる。そして、人が、画像表示器１３１の透明部材１２８に対向する前面に変幻自在に制御されて表示される画像を、遊技盤１１の前方から筒部１２６の内部及び透明部材１２８を通して視認することができる。
【００６７】
「実施の形態１６」
図１において、単位片２乃至６に透明な合成樹脂板を用い、接着剤７乃至１０に乾燥後に透明になる接着剤を用い、遊技基盤１を透明な遊技基盤として構成すれば、図２の化粧シート１２を使用しないで遊技基盤１の前面に遊技部品１７を取り付けて、透明な遊技盤１１を構成してもよい。
【００６８】
「実施の形態１７」
図４において、単位片３５乃至３０に透明な合成樹脂板を用い、接着剤３４；４０乃至４３に乾燥後に透明になる接着剤を用い、遊技基盤３１を透明な遊技基盤として構成すれば、図５の化粧シート１２を使用しないで遊技基盤３１の前面に遊技部品１７を取り付けて、透明な遊技盤４４を構成してもよい。
【００６９】
「実施の形態１８」
図７において、単位片４８乃至５１に透明な合成樹脂板を用い、接着剤５３乃至５６に乾燥後に透明になる接着剤を用い、遊技基盤５７を透明な遊技基盤として構成すれば、図８の化粧シート１２を使用しないで遊技基盤４７の前面に遊技部品１７を取り付けて、透明な遊技盤５７を構成してもよい。
【００７０】
「実施の形態１９」
図１０において、単位片６５乃至６８に透明な合成樹脂板を用い、接着剤７０乃至７３に乾燥後に透明になる接着剤を用い、遊技基盤６１を透明な遊技基盤として構成すれば、図１１の化粧シート１２を使用しないで遊技基盤６１の前面に遊技部品１７を取り付けて、透明な遊技盤７５を構成してもよい。
【００７１】
「実施の形態２０」
図１３において、単位片７８；７９に透明な合成樹脂板を用い、接着剤８１；８２に乾燥後に透明になる接着剤を用い、遊技基盤７７を透明な遊技基盤として構成すれば、図１１の化粧シート１２に相当する化粧シートを使用しないで遊技基盤７７の前面に図１１の遊技部品１７に相当する遊技部品を取り付けて、図１１の遊技盤７５に相当する透明な遊技盤を構成してもよい。
【００７２】
「実施の形態２１」
図１４において、単位片８９乃至９１に透明な合成樹脂板を用い、接着剤９２乃至９３に乾燥後に透明になる接着剤を用い、遊技基盤８８を透明な遊技基盤として構成すれば、図１１の化粧シート１２に相当する化粧シートを使用しないで遊技基盤８８の前面に図１１の遊技部品１７に相当する遊技部品を取り付けて、図１１の遊技盤７５に相当する透明な遊技盤を構成してもよい。
【００７３】
「実施の形態２２」
図１６において、単位片３５乃至３０；１０５乃至１０９に透明な合成樹脂板を用い、接着剤３４；４０乃至４３；１１０乃至１１３に乾燥後に透明になる接着剤を用い、遊技基盤１０３を透明な遊技基盤として構成すれば、図１１の化粧シート１２に相当する化粧シートを使用しないで遊技基盤１０３の前面に図１１の遊技部品１７に相当する遊技部品を取り付けて、図１１の遊技盤７５に相当する透明な遊技盤を構成してもよい。
【００７４】
「実施の形態２３」
図１７において、単位片６５乃至６８；１１６乃至１１９に透明な合成樹脂板を用い、接着剤６４；７０乃至７３；１２１乃至１２３に乾燥後に透明になる接着剤を用い、遊技基盤１１４を透明な遊技基盤として構成すれば、図１１の化粧シート１２に相当する化粧シートを使用しないで遊技基盤１１４の前面に図１１の遊技部品１７に相当する遊技部品を取り付けて、図１１の遊技盤７５に相当する透明な遊技盤を構成してもよい。
【００７５】
「実施の形態２２」
また、１つの遊技基盤を構成する単位ユニット３２；３３；６２；６３；１０４；１１５の個数は、２つに限定されるものではく、例えば、３つ以上であってもよい。３つ以上の単位ユニットを用いる場合、前後側の単位ユニットの材質を保持力が弱いが単価が安い材料とし、中間部の単位ユニットの材質を遊技釘に対する保持力が強いが単価が高い材料としてもよく、前側の単位ユニットの材質を保持力が弱いが単価が安い材料とし、中間部及び後側の単位ユニットの材質を遊技釘に対する保持力が強いが単価が高い材料としてもよく、後側の単位ユニットの材質を保持力が弱いが単価が安い材料とし、中間部及び前側の単位ユニットの材質を遊技釘に対する保持力が強いが単価が高い材料としてもよい。
【符号の説明】
【００７６】
１は遊技基盤、２乃至６は単位片、７乃至１０は接着剤、１１は遊技盤、１２は化粧シート、１３乃至１６は開口部、１７は遊技部品、１８は遊技釘、１９はガイドレール、２０は跳ね返しゴム、２１はセンター飾り、２２乃至２４は入賞部品、２５は風車、２６はアウト口飾り、２７は盤面飾り、２８は保護部材、２９；３０は欠番、３１は遊技基盤、３２；３３は基盤ユニット、３４は接着剤、３５乃至３９は単位片、４０乃至４３は接着剤、４４は遊技盤、４５；４６は欠番、４７は遊技基盤、４８は単位片、４９乃至５１は単位片、５２は開口部、５３乃至５６は接着剤、５７は遊技盤、５８；５９は開口部、６０は欠番、４７は遊技基盤、６２；６３は基盤ユニット、６４は接着剤、６５乃至６８は単位片、６９は開口部、７０乃至７３は接着剤、７４は開口部、７５は遊技盤、７６は欠番、７７は遊技基盤、７８；７９は単位片、８０は開口部、８１；８２は接着剤、８２は接着剤、８３は横片部、８４は縦片部、８５は横片部、８６は縦片部、８７は欠番、８８は遊技基盤、８９乃至９１は単位片、８０は開口部、９２乃至９４は接着剤、９５は横片部、９６は縦片部、９７は欠番、９８；９９は単位片、１００；１０１は駒受容部、１０２は駒部材１０３  遊技基盤、１０４は基盤ユニット、１０５乃至１０９は単位片、１１０乃至１１３は接着剤、１１４は遊技基盤、１１５は基盤ユニット、１１６乃至１１９は単位片、１２０は開口部、１２１乃至１２４は接着剤、１２５は開口部、１２６は取付基盤、１２７は筒部、１２８は透明部材、１２９は隔壁、１３０はステージ、１３１は画像表示器。
【図１】
2011092602.tif 000003
【図２】
2011092602.tif 000004
【図３】
2011092602.tif 000005
【図４】
2011092602.tif 000006
【図５】
2011092602.tif 000007
【図６】
2011092602.tif 000008
【図７】
2011092602.tif 000009
【図８】
2011092602.tif 000010
【図９】
2011092602.tif 000011
【図１０】
2011092602.tif 000012
【図１１】
2011092602.tif 000013
【図１２】
2011092602.tif 000014
【図１３】
2011092602.tif 000015
【図１４】
2011092602.tif 000016
【図１５】
2011092602.tif 000017
【図１６】
2011092602.tif 000018
【図１７】
2011092602.tif 000019
【図１８】
2011092602.tif 000020
【図１９】
2011092602.tif 000021
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
複数の単位片が方形状の遊技基盤の外形を形成するように配置され、これらの単位片相互の接触し合う部分が接着剤又は駒部材で結合されたことを特徴とするパチンコ遊技機の遊技盤に用いられる遊技基盤。
【請求項２】
複数の単位片が開口部を囲むとともに遊技基盤の外形を形成するように配置され、これらの単位片相互の接触し合う部分が接着剤又は駒部材で結合されたことを特徴とするパチンコ遊技機の遊技盤に用いられる遊技基盤。
【請求項３】
複数の基盤ユニットが複数の単位片を方形状の遊技基盤の外形を形成するように配置しかつこれらの単位片相互の接触し合う部分を接着剤又は駒部材で結合した構成であり、これらの基盤ユニットが前後に重ね合わされかつこれらの基盤ユニットの重ね合わされた部分が接着剤又は駒部材で結合されたことを特徴とするパチンコ遊技機の遊技盤に用いられる遊技基盤。
【請求項４】
複数の基盤ユニットが複数の単位片を開口部を囲むとともに遊技基盤の外形を形成するように配置しかつこれらの単位片相互の接触し合う部分を接着剤又は駒部材で結合した構成であり、これらの基盤ユニットが前後に重ね合わされかつこれらの基盤ユニットの重ね合わされた部分が接着剤又は駒部材で結合されたことを特徴とするパチンコ遊技機の遊技盤に用いられる遊技基盤。
【手続補正２】
【補正対象書類名】明細書
【補正対象項目名】０００５
【補正方法】変更
【補正の内容】
【０００５】
本発明に係るパチンコ遊技機の遊技盤に用いられる遊技基盤は、複数の単位片が方形状の遊技基盤の外形を形成するように配置され、これらの単位片相互の接触し合う部分が接着剤又は駒部材で結合されたことを最も主要な特徴とする。
【手続補正３】
【補正対象書類名】明細書
【補正対象項目名】０００６
【補正方法】変更
【補正の内容】
【０００６】
本発明に係るパチンコ遊技機の遊技盤に用いられる遊技基盤は、複数の単位片を接着剤又は駒部材で結合して構成されているので、遊技基盤の或る部分と別の部分とのそれぞれに適した材料を使うことができるという利点がある。例えば、遊技釘の打ち込まれる本数が少ないか又は無い部分に使用される単位片は遊技釘に対する保持力が弱いが単価が安い材料により構成され、遊技釘の打ち込まれる本数が多い部分に使用される単位片は遊技釘に対する保持力が強いが単価が高い材料により構成されればよい。
【手続補正４】
【補正対象書類名】明細書
【補正対象項目名】００１１
【補正方法】変更
【補正の内容】
【００１１】
よって、図１のＢ図に示すように、複数の単位片２乃至６が方形状の遊技基盤１の外形を形成するように配置され、これらの単位片相互の接触し合う部分が接着剤７乃至１０で結合されることによって、前後方向の厚さＴ１の遊技基盤１が構成される。Ｔ１は、例えば遊技機業界で使用されている１９ｍｍが適切であるが、１９ｍｍに限定されるものではない。
【手続補正５】
【補正対象書類名】明細書
【補正対象項目名】００１６
【補正方法】変更
【補正の内容】
【００１６】
「実施の形態３」
図４を参照し、実施の形態３に係るパチンコ遊技機の遊技盤に用いられる遊技基盤３１について説明する。遊技基盤３１は、図４のＤ図に示すように、複数の方形状の基盤ユニット３２；３３が前後に重ね合わされ、これらの基盤ユニット３２；３３の重ね合わされた部分が接着剤３４で結合された構成である。
【手続補正６】
【補正対象書類名】明細書
【補正対象項目名】００４４
【補正方法】変更
【補正の内容】
【００４４】
「実施の形態９」
図１３を参照し、実施の形態９に係るパチンコ遊技機の遊技盤に用いられる遊技基盤７７について説明する。遊技基盤７７は、図１３のＢ図に示すように、複数の単位片７８；７９が開口部８０を方形状に囲むとともに方形状の遊技基盤７７の外形を形成するように配置され、これらの単位片７８；７９相互の接触し合う部分が接着剤８１；８２で結合された構成である。開口部８０は、センター飾り又はセンター可変入賞部品のための前後方向への貫通孔を構成するものであって、遊技基盤７７に設けられる複数の開口部のうちで正面から見た場合の最も面積が大きい開口部である。
【手続補正７】
【補正対象書類名】明細書
【補正対象項目名】００４６
【補正方法】変更
【補正の内容】
【００４６】
具体的には、図１３のＡ図に示すように、複数の単位片７８；７９は、全て同じ木材又は合成樹脂からなる材料により鉤の手状に形成されてもよいが、使用される場所に適した材料から鉤の手状に形成されてもよい。単位片７８；７９が使用される場所に適した材料から形成される場合、例えば、遊技釘の打ち込まれる本数が少ないか又は無い部分に使用される単位片７９は遊技釘に対する保持力が弱いが単価が安い材料としての例えば前後方向の厚さＴ１のラワンベニヤ板により構成され、遊技釘の打ち込まれる本数が多い部分に使用される単位片７９は遊技釘に対する保持力が強いが単価が高い材料としての例えば前後方向の厚さＴ１のシナベニヤ板により構成される。
【手続補正８】
【補正対象書類名】明細書
【補正対象項目名】００６３
【補正方法】変更
【補正の内容】
【００６３】
「実施の形態１４」
図１８を参照し、実施の形態１４に係る遊技基盤４７を使用したパチンコ遊技機の遊技５７において１つの開口部５２に対する穴あけ加工を追加して行う場合を例として説明する。遊技基盤４７としては、図７のＢ図に示すように、複数の単位片４８乃至５１が開口部５２を方形状に囲むとともに方形状の遊技基盤４７の外形を形成するように配置されてそれらの単位片４８乃至５１相互の接触し合う部分が接着剤５３；５４；５５；５６で結合された構成であるものを例示する。そして、遊技盤５７としては、図１８に示すように、遊技基盤４７の前面に方形状の化粧シート１２が接着剤で結合されて、遊技基盤４７の前面及び開口部５２が化粧シート１２で全面的に覆われた構成であるものを例示する。この遊技技５７に開口部５２よりも大きな仮想線で示す開口部１２５を開口部５２に対する穴あけ加工として追加して行う。開口部１２５は、開口部１２５を前方から見た場合に、方形状に限定されるものではなく、図１９に示すセンター飾り２１の筒部１２７を逃げるように筒部１２７の外形に適用する形状であってもよく、遊技基盤４７と化粧シート１２とに設けられる複数の開口部のうちで正面から見た場合の最も面積が大きい開口部である。つまり、図１８に示すように、部品を逃げるための開口部１２５が遊技基盤４７と化粧シート１２とに穴あけ加工される場合、開口部５２の周囲が切削されることによって開口部１２５が形成されるので、開口部５２を穴あけ加工する必要がなく、図２のＢ図や図５のＢのように開口部１３を形成する場合に比べ、開口部１２５に対する穴あけ加工での切削時間が短縮されかつ切削で発生する屑も細かくなりかつ切削で発生する屑の量も減るという利点がある。
【手続補正９】
【補正対象書類名】明細書
【補正対象項目名】００６４
【補正方法】変更
【補正の内容】
【００６４】
図１８では、開口部５２又は開口部１２５が化粧シート１２に形成される時期は、化粧シート１２が遊技基盤４７に結合されるよりも前の時期又は化粧シート１２が遊技基盤４７に結合された後の時期の何れでもよく、また、遊技基盤４７に代えて、図１０の遊技基盤６１又は図１３の遊技基盤７７又は図１４の遊技基盤８８又は図１７の遊技基盤１１４を使用してもよい。
【手続補正１０】
【補正対象書類名】明細書
【補正対象項目名】００６５
【補正方法】変更
【補正の内容】
【００６５】
「実施の形態１５」
図１９を参照し、実施の形態１５に係るパチンコ遊技機の遊技盤１１に取り付けられたセンター飾り２１の内部構造について説明する。遊技盤１１としては、遊技基盤１に化粧シート１２が設けられたものを例示する。センター飾り２１の取付基盤１２６の中央部には筒部１２７が取付基盤１２６から後方に突出しかつ前後方向に開口する形状に設けられる。筒部１２７の後部には合成樹脂からなる板状の透明部材１２８が結合されて、筒部１２７の後開口が透明部材１２８で全面的に覆われる。取付基盤１２６の前面には、隔壁１２９及びステージ１３０が取付基盤１２６よりも前方に突出するように設けられる。隔壁１２９は、化粧シート１２の前面を流下する図外の遊技球が取付基盤１２６の前面から筒部１２７の前開口を経由して透明部材１２８の側に取り込まれないようにするために、筒部１２７の前開口の上部の周り及び左右部の周りを囲む形状である。ステージ１３０は、粧シート１２の前面を流下する図外の遊技球を取付基盤１２６の前面からステージ１３０の上に取り込み、その取り込んだ遊技球をステージ１３の上から遊技球の動きで落下させる形状である。